【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
ピアツーピアネットワーク（２００）内で相互接続された帯域幅をシェアする複数の装置（２０２ａ−ｄ；７０２ａ−ｃ）を含むシステムにおいて、帯域幅をネゴシエートする方法（３００）であって、前記複数の装置の各々が適合可能な帯域幅上限（６０６，６１０）を有し、前記方法が、
前記複数の装置のうちの要求装置（２０２ａ）において、前記要求装置の前記帯域幅上限を増加させる優先レベルを示す前記要求装置のランキングスコアを計算するステップ（Ｓ３０２）と、
前記要求装置から、追加の帯域幅の要求（４０２）を、前記複数の装置のうち一以上の残りの装置（２０２ｂ−ｄ）に送信するステップ（Ｓ３０４）と、
前記要求装置において、一以上の回答（５０２ｂ−ｄ）を、前記一以上の残りの装置から受信するステップ（Ｓ３０６）であって、前記一以上の回答の各々は、前記一以上の残りの装置のそれぞれに対応しており、且つ、前記残りの装置の前記帯域幅上限を保持する優先レベルを表す前記残りの装置のランキングスコアを含む、受信するステップ（Ｓ３０６）と、
前記要求装置において、前記一以上の受信された回答が対応している前記一以上の残りの装置のうち、帯域幅の受け取り元となる装置（２０２ｃ）を決定するステップ（Ｓ３０８）であって、前記決定が、
前記要求装置のランキングスコア、及び
前記一以上の回答のランキングスコア
に基づく、決定するステップ（Ｓ３０８）と、
前記要求装置の前記帯域幅上限（６０６）を増加させるステップ（Ｓ３１０）と、
帯域幅の受け取り元に決定された前記装置の前記帯域幅上限（６１０）を、減少させるステップ（Ｓ３１２）と
を含む、方法（３００）。
【請求項２】
前記追加の帯域幅の要求が、前記ピアツーピアネットワーク内のブロードキャストメッセージである、請求項１に記載の方法。
【請求項３】
前記追加の帯域幅の要求が前記要求装置の識別子を含み、前記一以上の回答の各々が前記ピアツーピアネットワーク内のユニキャストメッセージである、請求項１又は２に記載の方法。
【請求項４】
前記要求装置の前記帯域幅上限を増加させるステップが、前記帯域幅上限を所定の量増加させることを含み、決定された前記装置の前記帯域幅上限を減少させるステップが、前記帯域幅上限を前記所定の量減少させることを含む、請求項１から３の何れか一項に記載の方法。
【請求項５】
前記要求装置のランキングスコアと、帯域幅の受け取り元に決定された前記装置に対応している前記回答の前記ランキングスコアとの間の差を、計算するステップと、
計算された前記差に基づいて、決定された前記装置から前記要求装置によって受け取られるべき帯域幅量を計算するステップと
を更に含み、
前記要求装置の前記帯域幅上限を増加させるステップが、前記帯域幅上限を、計算された前記帯域幅量増加させることを含み、決定された前記装置の前記帯域幅上限を減少させるステップが、前記帯域幅上限を、計算された前記帯域幅量減少させることを含む、請求項１から３の何れか一項に記載の方法。
【請求項６】
前記一以上の回答の各々が、前記回答が対応している前記残りの装置における余剰帯域幅を示す値を更に含み、前記一以上の受信された回答が対応している前記一以上の残りの装置のうち、帯域幅の受け取り元となる装置を、前記要求装置において決定するステップが更に、前記一以上の回答の余剰帯域幅を示す前記値に基づく、請求項１から５の何れか一項に記載の方法。
【請求項７】
残りの装置の前記ランキングスコアが、
−  前記残りの装置の余剰帯域幅を示す値、
−  前記残りの装置の前記帯域幅上限、
−  前記複数の装置を含む前記システム内での、前記残りの装置の重要性パラメータ、
−  タイムスケジュールパラメータ、
−  前記残りの装置の以前のランキングスコアに関するヒストリパラメータ
のうちの少なくとも一を用いて計算される、請求項１から６の何れか一項に記載の方法。
【請求項８】
前記要求装置のランキングスコアが、
−  前記要求装置において不足している帯域幅量を示すパラメータ、
−  前記要求装置の前記帯域幅上限、
−  前記複数の装置を含む前記システム内での、前記要求装置の重要性パラメータ、
−  タイムスケジュールパラメータ、
−  前記要求装置の以前のランキングスコアに関するヒストリパラメータ
のうちの少なくとも一を用いて計算される、請求項１から７の何れか一項に記載の方法。
【請求項９】
前記複数の装置が、それぞれが個々に監視データを取得する監視装置（７０２ａ−ｃ）であり、前記要求装置のランキングスコア及び／又は残りの装置の前記ランキングスコアが、
−  前記監視データのコンテンツ内のイベントを表すイベントパラメータ、
−  前記監視データの前記コンテンツの複雑性を表す複雑性パラメータ
のうちの少なくとも一を用いて計算される、請求項１から８の何れか一項に記載の方法。
【請求項１０】
前記複数の装置の各々が帯域幅下限（６１４，６１６）を有し、結果として装置の前記帯域幅上限が前記帯域幅下限を下回るであろう場合、当該装置から帯域幅を受け取ることができない、請求項１から９の何れか一項に記載の方法。
【請求項１１】
前記複数の装置を含む前記システムに新しい装置が加わったとき、前記新しい装置の前記帯域幅上限はゼロである、請求項１から１０の何れか一項に記載の方法。
【請求項１２】
処理能力を有するデバイスによって実行されると請求項１から１１の何れか一項に記載の方法を実施するように適合された命令を有するコンピュータ可読記憶媒体を含む、コンピュータプログラム製品。
【請求項１３】
ピアツーピアネットワーク（２００）内で一以上の他の装置（２０２ａ−ｃ）と相互接続された帯域幅をシェアする装置（２０２ａ）であって、前記装置は適合可能な帯域幅上限（６０４）を有し、且つ、
前記帯域幅上限を増加させる優先レベルを示すランキングスコアを計算し（Ｓ３０２）、
追加の帯域幅の要求（４０２）を、前記一以上の他の装置へ送信し（Ｓ３０４）、
前記他の装置の前記帯域幅上限を保持する優先レベルを表す前記他の装置のランキングスコアを含む、一以上の回答（５０２ｂ−ｄ）であって、前記一以上の他の装置のそれぞれに各々が対応している一以上の回答（５０２ｂ−ｄ）を、前記一以上の他の装置から受信し（Ｓ３０６）、
前記一以上の受信された回答が対応している前記一以上の他の装置のうち、帯域幅の受け取り元となる装置（２０２ｃ）を、
前記ランキングスコア、及び
前記一以上の回答の前記ランキングスコア
に基づいて決定し（Ｓ３０８）、
前記帯域幅上限を増加させ、
決定された前記装置が決定された前記装置の前記帯域幅上限（６１０）を減少させるよう指示するメッセージ（６０２）を、決定された前記装置へ送信する
ように適合されている、装置。
【請求項１４】
ピアツーピアネットワーク（２００）内で一以上の他の装置（２０２ａ−ｂ，２０２ｄ）と相互接続された帯域幅をシェアする装置（２０２ｃ）であって、前記装置は、適合可能な帯域幅上限（６１０）を有し、且つ
前記一以上の他の装置のうちの要求装置から、追加の帯域幅の要求（４０２）を受信し、
前記帯域幅上限を保持する優先レベルを示すランキングスコアを計算し、
前記追加の帯域幅の要求に対する、前記ランキングスコアを含む回答（５０２ｃ）を送信し、
前記装置の前記帯域幅上限を減少させる指令を含むメッセージ（６０２）を受信し、前記メッセージに応答して前記帯域幅上限を減少させる
ように適合されている、装置。
【請求項１５】
監視データを取得する監視装置である、請求項１３又は１４に記載の装置。